(57)【要約】【課題】タンス等の引き出しに丸めて収納されている複数のタイツの中から所望の保温性を備えたタイツをユーザが容易に選ぶ。【解決手段】このタイツ１００は、足甲および踵部を被覆するフット部１１０と、脚を被覆するレッグ部１２０と、腹部および臀部を被覆するパンティ部１３０と、ゴム編みで編成されたウエストバンド部１４０とを備え、パンティ部１３０上端のウエストバンド部１４０の肌側および肌の反対側の両側に、このタイツ１００を編成する編み糸の太さを表すデニール表示「８０」の文字を、ウエストバンド部１４０の色彩とは異なる色彩の挿入糸を挿入して編成することにより、備えている。【選択図】図２
2016000878.tif 000002
【特許請求の範囲】
【請求項１】
フット部、レッグ部およびパンティ部から構成されるタイツであって、
前記パンティ部上端のウエストバンド部の肌側および／または肌の反対側に、前記タイツを編成する編み糸の太さを表すデニール表示を備えていることを特徴とするタイツ。
【請求項２】
前記デニール表示は、
前記ウエストバンド部の色彩とは異なる色彩の挿入糸を挿入して編成、
前記ウエストバンド部の色彩とは異なる色彩でプリント、
前記ウエストバンド部の色彩とは異なる色彩の糸で刺繍、および
前記ウエストバンド部の編成糸を前記ウエストバンド部の色彩とは異なる色彩の糸に替えて編成、
のいずれかまたはこれらの組合せで構成したことを特徴とする請求項１に記載のタイツ。
【請求項３】
前記デニール表示は、立体的に構成されていることを特徴とする請求項２に記載のタイツ。
【発明の詳細な説明】
【技術分野】
【０００１】
本発明は、パンティ部を一体的に備えたタイツに関し、特に、タンス等の引き出しに丸めて収納されている複数のタイツの中から所望の保温性を備えたタイツをユーザが容易に選ぶことのできるタイツに関する。
【背景技術】
【０００２】
近年の生活習慣上、足に装着する下半身用衣類として靴下があり、人が靴を履くときに多くの人々が使用している。このような下半身用衣類の中で、特に、女性の下半身を覆うストッキングやタイツは、外出時における女性の脚部の保護および保温さらには脚線美の向上の観点等から、広く世間に浸透している。
このような下半身衣類の中でタイツは専ら冬季に着用され、保温性を重視したものとなっており、タイツにはアクリルのバルキー糸１００％のもの、カバリング糸とナイロンフィラメント加工糸との交編タイプのもの、またはカバリング糸１００％のいわゆるゾッキタイプのものがある。そして、この保温性は、タイツの厚みに関係し、タイツの厚みはタイツを編成する糸の太さにより大きく左右される。ここで、糸の太さを表す恒長式指数（単位長さあたりの重量）の単位は、ＳＩ単位系ではデシテックス（記号Ｔ：１０,０００ｍあたりの重量）であるが、タイツの商品パッケージではデニール（記号Ｄ：９,０００ｍあたりの重量）も多く使用され、デニールが保温性の指標として最も一般的に用いられている。
【０００３】
冬季の寒さは人によって感じ方が異なるため、タイツ市場においては、ユーザの多様なニーズに応えるべく、同じ色合いであっても、様々な厚み（デニール）のタイツを販売し、ユーザも同じ色合いであっても異なる厚みのタイツを複数購入して、寒さに合わせて選んで着用している。
ところで、このようなタイツは、購入時には、タイツの厚みを容易に認識できるパッケージ（パッケージにデニール表示）に収納されているが、購入後または着用後にそのパッケージは廃棄されて、多くの場合、タンス等の引き出しにタイツは丸めて収納される。同じような色合いの３以上の厚みの異なるタイツが引き出しに丸めて並んで収納されていると、どのタイツが一番厚いのか一番薄いのかは一見しただけではわからない。このため、引き出しから取り出してみて着用して（試しに腕を通してみて）所望の厚みのタイツでないことがわかる場合がある。これでは、タンス等の引き出しに丸めて収納されている複数のタイツの中から所望の保温性を備えたタイツをユーザが容易に選ぶことができない。
【０００４】
このような問題とは少し観点が異なるが、
靴下を履くときにその前側と後側とを識別するために、靴下の前側であって履き口部の内側に添え糸を編み込んで目印とした靴下（特許文献１）、
容易に左右一対の靴下を見つけるために、靴下の履き口に目印（数字、文字等）を設けた靴下（特許文献２）、
形状および柄が同一の靴下であっても新旧を区別するために、左右の靴下本体の一部分にそれぞれ同一の数字であって同じ形状および柄の販売する時期の異なる他の対の靴下本体とは異なる数字とは異なる数字を刺繍した靴下（特許文献３）、がある。
【先行技術文献】
【特許文献】
【０００５】
【特許文献１】実開平４−４０７０４号公報
【特許文献２】実用新案登録第３１５９７０９号公報
【特許文献３】実用新案登録第３１６１２０１号公報
【発明の概要】
【発明が解決しようとする課題】
【０００６】
しかしながら、上述した特許文献に開示された靴下では、左右一対の靴下を適切に見つけることができるに過ぎず、これをタイツに適用したところで、タンス等の引き出しに丸めて収納されている複数のタイツの中から所望の保温性を備えたタイツをユーザが容易に
選ぶことができない。
本発明は、従来技術の上述の問題点に鑑みて開発されたものであり、その目的とするところは、タンス等の引き出しに丸めて収納されている複数のタイツの中から所望の保温性を備えたタイツをユーザが容易に選ぶことのできるタイツを提供することである。
【課題を解決するための手段】
【０００７】
上記目的を達成するため、本発明に係るタイツは以下の技術的手段を講じている。
すなわち、本発明に係るタイツは、フット部、レッグ部およびパンティ部から構成されるタイツであって、前記パンティ部上端のウエストバンド部の肌側および／または肌の反対側に、前記タイツを編成する編み糸の太さを表すデニール表示を備えていることを特徴とする。
【０００８】
好ましくは、前記デニール表示は、前記ウエストバンド部の色彩とは異なる色彩の挿入糸を挿入して編成、前記ウエストバンド部の色彩とは異なる色彩でプリント、前記ウエストバンド部の色彩とは異なる色彩の糸で刺繍、および、前記ウエストバンド部の編成糸を前記ウエストバンド部の色彩とは異なる色彩の糸に替えて編成、のいずれかまたはこれらの組合せで構成することができる。
【０００９】
さらに好ましくは、前記デニール表示は、立体的に構成することができる。
【発明の効果】
【００１０】
本発明に係るタイツによれば、タンス等の引き出しに丸めて収納されている複数のタイツの中から所望の保温性を備えたタイツをユーザが容易に選ぶことのできるタイツを提供することができる。
【図面の簡単な説明】
【００１１】
【図１】本発明の実施の形態に係るタイツの概略正面図である。
【図２】本発明の実施の形態に係るタイツの斜視図である。
【図３】図２のＣ部拡大図である。
【発明を実施するための形態】
【００１２】
以下、本発明の実施の形態として、タイツ１００を、図面に基づき、詳しく説明する。
図１に本実施の形態に係るタイツ１００の概略正面図（着用していない状態）を、図２にこのタイツ１００を着用した状態の斜視図を、図３に図２のＣ部拡大図であって着用前の状態において目視により認識できるデニールを示す図を、それぞれ示す。なお、図２（Ａ）は斜め前方からの斜視図であって、図２（Ｂ）は斜め後方からの斜視図である。
【００１３】
これらの図に示すように、このタイツ１００は、足甲および踵部を被覆するフット部１１０と、脚を被覆するレッグ部１２０と、腹部および臀部を被覆するパンティ部１３０と、パンティ部１３０の上端側にゴム編みで編成されたウエストバンド部１４０とを備える。
このタイツ１００は、通常のパンティストッキング等の下半身用衣類と同じく、筒状に編成された１対の編地を用いてフロント側パンティ部１３０Ｆに相当する部分に切れ目を入れて裁断縁どうしを股部縫着線１５０でつき合わせ、これらとバック側パンティ部１３０Ｂとを臀部縫着線１６０でつき合わせて股部を縫着して一体化することにより製造される。また、足部の爪先部は周知の手段により、袋状に縫着することにより製造される。
【００１４】
特徴的であるのは、このようにフット部１１０、レッグ部１２０およびパンティ部１３０から構成されるこのタイツ１００において、パンティ部１３０上端のウエストバンド部１４０の肌側および肌の反対側の両側に、このタイツ１００を編成する編み糸の太さを表すデニール表示を備えていることである。
なお、ウエストバンド部１４０の肌側または肌の反対側の一方側のみに、デニール表示を備えているものであっても構わない。
【００１５】
本発明に係るタイツは、このようなデニール表示を備えているタイツであればよく、それ以外の構成は、限定されるものではない。たとえば、このタイツ１００の製造方法は、上述したような、筒状に編成された１対の編地を用いてフロント側パンティ部１３０Ｆに相当する部分に切れ目を入れて裁断縁どうしを股部縫着線１５０でつき合わせ、これらとバック側パンティ部１３０Ｂとを臀部縫着線１６０でつき合わせて股部を縫着して一体化
する製造方法に限定されるものではない。
【００１６】
さらに、詳しくこのデニール表示について説明する。図３に示すように、本実施の形態に係るタイツ１００には、デニール表示としてこのタイツ１００の編み糸が８０デニールであることを示す「８０」の文字が表示されている。本実施の形態においては、このデニール表示は、ウエストバンド部１４０の色彩とは異なる色彩の挿入糸を挿入して編成することにより「８０」の文字を編成している。
【００１７】
そして、このデニール表示である「８０」の文字は、１つずつ丸められたタイツ１００がタンス等の引き出しに複数収納されている場合において、ユーザの視覚により認識することができる。たとえば、多くの場合、タイツ１００を丸める際には、タイツ１００の左右のフット部１１０およびレッグ部１２０が対面するように重ね合わせた状態から丸めていくか、タイツ１００の長手方向寸法が略１／２になるように１回折り返した状態から丸めていくことが多い。そして、丸めていくとその巻き終わりがウエストバンド部１４０になり、このウエストバンド部１４０に備えられたデニール表示を、タイツ１００が丸められた状態であっても、ユーザの視覚により認識することができる。このため、タンス等の引き出しに丸めて収納されている複数のタイツ１００の中から所望の保温性を備えたタイツをユーザが容易に選ぶことができる。
【００１８】
以下に、このデニール表示の別の態様について説明する。このデニール表示は、ウエストバンド部１４０の色彩とは異なる色彩でプリントしても構わないし、ウエストバンド部１４０の色彩とは異なる色彩の糸で刺繍しても構わないし、ウエストバンド部１４０の編成糸をウエストバンド部１４０の色彩とは異なる色彩の糸に替えて編成して構成するようにしても構わない。さらに、このデニール表示は、これらを組合せて構成しても構わないし、また、このデニール表示は、編み組織の切替によって立体的に構成されていても構わない。
【００１９】
以上のようにして、本実施の形態に係るタイツによると、ウエストバンド部の肌側および／または肌の反対側にタイツを編成する編み糸の太さを表すデニール表示を備えたため、タンス等の引き出しに丸めて収納されている複数のタイツの中から所望の保温性を備えたタイツをユーザが容易に選ぶことができる。
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００２０】
本発明は、タイツに好適であり、タンス等の引き出しに丸めて収納されている複数のタイツの中から所望の保温性を備えたタイツをユーザが容易に選ぶことができる点で特に好適である。
【符号の説明】
【００２１】
１００    パンティストッキング
１１０    フット部
１２０    レッグ部
１３０    パンティ部
１３０Ｆ  フロント側パンティ部
１３０Ｂ  バック側パンティ部
１４０    ウエストバンド部
１５０    股部縫着線
１６０    臀部縫着線
【図１】
2016000878.tif 000003
【図２】
2016000878.tif 000004
【図３】
2016000878.tif 000005